(57)【要約】【目的】ユーザ操作を簡略化してプリント注文できるようにする。【構成】プリント注文を行う店頭端末装置において，その表示画面４にユーザ設定領域１９２と規定値領域１９３とが含まれている。プリント条件をユーザが設定する場合には，ユーザ設定領域１９２がタッチされる。規定のプリント条件にしたがってプリントする場合には，規定値領域１９３がタッチされる。規定値領域１９３がタッチされると，あらかじめ定められているプリント条件でプリントするようにプリント・ファイルが生成される。生成されたプリント・ファイルが店頭端末装置からプリンタ・コントローラに送信される。プリント・コントローラによってプリント・ファイルに格納されているプリント条件にしたがってプリントするようにディジタル・プリンタが制御される。【選択図】　図１４
2004013701.tif 000002
【特許請求の範囲】
【請求項１】
プリント条件をあらかじめ設定する第１の設定手段，
上記第１の設定手段によりあらかじめ設定されたプリント条件を記憶する記憶手段，
ユーザ設定モードまたは規定設定モードを選択する第１の選択手段，
上記第１の選択手段によりユーザ設定モードが選択されたことに応じて，プリント条件の設定を行う第２の設定手段，および
上記第１の選択手段によりユーザ設定モードが選択されたことにより，上記第２の設定手段により設定されるプリント条件でプリントし，上記第１の選択手段により規定設定モードが選択されたことにより上記記憶手段に記憶されているプリント条件でプリントするようにプリンタを制御するプリント注文データを生成するプリント注文データ生成手段，
を備えたプリント注文データ生成装置。
【請求項２】
上記第１の選択手段により規定設定モードが選択されたことにより，上記記憶手段に記憶されているプリント条件を報知する報知手段，および
規定設定モードの変更または続行を選択する第２の選択手段をさらに備え，
上記プリント注文データ生成手段は，
上記第２の選択手段により規定設定モードの変更が選択されたことに応じて上記第２の設定手段により設定されたプリント条件でプリントし，上記第２の選択手段により規定モードの続行が選択されたことにより上記記憶手段に記憶されているプリント条件でプリントするようにプリンタを制御するプリント注文データを生成するものである，
請求項１に記載のプリント注文データ生成装置。
【請求項３】
上記第１の選択手段により規定設定モードが選択されたことによりプリントすべき画像を表示し，上記第１の選択手段によりユーザ設定モードが選択されたことによりプリントすべき画像を選択可能に表示するように表示装置を制御する表示制御手段をさらに備えた請求項１に記載のプリント注文データ生成装置。
【請求項４】
プリント条件をあらかじめ設定させる規定設定画像を表示装置の表示画面上に表示させ，
プリント条件設定画像にもとづいてあらかじめ設定されたプリント条件を記憶させ，
ユーザ設定モードまたは規定設定モードを選択させるモード選択画像を上記表示装置の表示画面上に表示させ，
ユーザ設定モードが選択されたことに応じて，プリント条件の設定を行う画像を上記表示装置の表示画面上に表示させ，
ユーザ設定モードが選択されたことにより，設定されたプリント条件でプリントし，規定設定モードが選択されたことにより記憶されているプリント条件でプリントするようにプリンタを制御するプリント注文データを生成させるようにコンピュータを制御するプリント注文データ生成プログラム。
【発明の詳細な説明】
【０００１】
【技術分野】
この発明は，プリント注文データ生成装置およびプリント注文データ生成プログラムに関する。
【０００２】
【発明の背景】
写真店，コンビニエンス・ストアなどには，メモリ・カードなどの記録媒体に記録されている画像データを読み取り，読み取られた画像データによって表される画像をプリントする店頭プリント装置が置かれていることがある。
【０００３】
メモリ・カードを店頭プリント装置に装填すると，メモリ・カードに記録されている画像データが読み取られる。読み取られた画像データによって表される画像が店頭プリント装置の表示画面に表示される。ユーザは，表示画面に表示されている画像のうち，プリントすべき画像を選択し，プリント枚数，プリントのサイズなどのプリント条件を設定する。ユーザによって設定されたプリント条件によって，選択された画像がプリントされる。
【０００４】
しかしながら，一般的にはユーザは店頭プリント装置の操作に不慣れである。このために店頭プリント装置の使用が差し控えられてしまうことがある。
【０００５】
【発明の開示】
この発明は，ユーザの操作を簡単にすることを目的とする。
【０００６】
この発明によるにプリント注文データ生成装置は，プリント条件をあらかじめ設定する第１の設定手段，上記第１の設定手段によりあらかじめ設定されたプリント条件を記憶する記憶手段，ユーザ設定モードまたは規定設定モードを選択する第１の選択手段，上記第１の選択手段によりユーザ設定モードが選択されたことに応じて，プリント条件の設定を行う第２の設定手段，および上記第１の選択手段によりユーザ設定モードが選択されたことにより，上記第２の設定手段により設定されるプリント条件でプリントし，上記第１の選択手段により規定設定モードが選択されたことにより上記記憶手段に記憶されているプリント条件でプリントするようにプリンタを制御するプリント注文データを生成するプリント注文データ生成手段を備えていることを特徴とする。
【０００７】
この発明によるプリント・ファイル生成装置に適した方法を提供するようにしてもよい。すなわち，この方法は，プリント条件をあらかじめ設定しておき，あらかじめ設定されたプリント条件を記憶し，ユーザ設定モードまたは規定設定モードを選択可能とし，ユーザ設定モードが選択されたことに応じて，プリント条件の設定を行い，ユーザ設定モードが選択されたことにより，設定されるプリント条件でプリントし，規定設定モードが選択されたことにより上記記憶手段に記憶されているプリント条件でプリントするようにプリンタを制御するプリント注文データを生成するものである。
【０００８】
この発明は，上述した方法を実施するためのプログラムも提供している。すなわち，このプログラムは，プリント条件をあらかじめ設定させる規定設定画像を表示装置の表示画面上に表示させ，プリント条件設定画像にもとづいてあらかじめ設定されたプリント条件を記憶させ，ユーザ設定モードまたは規定設定モードを選択させるモード選択画像を上記表示装置の表示画面上に表示させ，ユーザ設定モードが選択されたことに応じて，プリント条件の設定を行う画像を上記表示装置の表示画面上に表示させ，ユーザ設定モードが選択されたことにより，設定されたプリント条件でプリントし，規定設定モードが選択されたことにより記憶されているプリント条件でプリントするようにプリンタを制御するプリント注文データを生成させるようにコンピュータを制御するものである。
【０００９】
上述のようにして生成されたプリント注文データがプリンタ・コントローラに与えられることにより，プリンタ・コントローラによってプリンタが制御され，プリント注文データによって表わされるプリント条件でプリントされることとなる。上述したプリント・ファイル生成装置に，プリント注文データによって表わされるプリント条件でプリントするようにプリンタを制御する制御手段を設け，プリンタ制御装置を構成することもできる。
【００１０】
上述したプログラムを格納した記録媒体を提供するようにしてもよい。
【００１１】
この発明によると，プリント制御装置の管理者などのオペレータにより第１の設定手段が操作されプリント条件があらかじめ設定され，記憶される。また，第２の設定手段はユーザによってプリント条件を設定するものである。
【００１２】
ユーザ設定モードまたは規定設定モードを選択ができ，規定設定モードが選択されると，あらかじめ設定されているプリント条件（プリント・サイズ，プリント枚数など）により画像等がプリントされる。ユーザは，プリント条件を設定する必要がないので，プリント注文に不慣れなユーザであってもプリント注文することができるようになる。
【００１３】
ユーザ設定モードが選択されると，第２の選択手段を用いてユーザによってプリント条件が設定される。設定されたプリント条件により画像等がプリントされる。ユーザの好みに応じたプリント条件でプリントすることもできる。
【００１４】
上記第１の選択手段により規定設定モードが選択されたことにより，上記記憶手段に記憶されているプリント条件を報知する報知手段，および規定設定モードの変更または続行を選択する第２の選択手段をさらに備えるようにしてもよい。この場合，上記プリント注文データ生成手段は，上記第２の選択手段により規定設定モードの変更が選択されたことに応じて上記第２の設定手段により設定されたプリント条件でプリントし，上記第２の選択手段により規定モードの続行が選択されたことにより上記記憶手段に記憶されているプリント条件でプリントするようにプリンタを制御するプリント注文データを生成するものとなろう。
【００１５】
あらかじめ設定されているプリント条件がどのようなものかユーザが確認することができる。あらかじめ設定されているプリント条件とは異なる条件でプリントしたい場合に，プリント条件をユーザが設定できるようになる。
【００１６】
上記第１の選択手段により規定設定モードが選択されたことによりプリントすべき画像を表示し，上記第１の選択手段によりユーザ設定モードが選択されたことによりプリントすべき画像を選択可能に表示するように表示装置を制御する表示制御手段をさらに備えるようにしてもよい。
【００１７】
規定設定モードが選択されたときには，プリントすべき画像が表示されるのでどのような画像がプリントされるのかを確認することができる。また，ユーザ設定モードが選択されたときには，プリントすべき画像が選択可能に表示されるので，表示されている画像の中からプリントすべき画像を選ぶことができるようになる。
【００１８】
【実施例の説明】
図１は，この発明の実施例を示すもので，プリント制御システムの概要を示している。
【００１９】
プリント制御システムには，店頭端末装置１，プリンタ・コントローラ３１およびディジタル・プリンタ３２が含まれている。
【００２０】
プリント制御システムは，写真店，コンビニエンス・ストアなどに配置される。店頭端末装置１を操作することにより，プリント枚数，プリント・サイズ，プリントする画像を表す画像データを格納する注文ファイル３０が生成される。生成された注文ファイルが店頭端末装置１からプリンタ・コントローラ３１に送信される。プリンタ・コントローラ３１において，注文ファイルにしたがって画像をプリントするように，ディジタル・プリンタ３２が制御される。
【００２１】
店頭端末装置１は，プリント制御システムが配置されている店のカウンタの外側に置かれており通常はお客によって操作される（ただし，後述する店員モードにおいては店員によって操作される）。プリンタ・コントローラ３１およびディジタル・プリンタ３２は店のカウンタの内側に置かれており，店員によって操作される。
【００２２】
図２は，店頭端末装置１の外観を示している。
【００２３】
店頭端末装置１は，カウンタなどの台の上に置かれる本体２と表示装置３とを備えている。表示装置３は，この本体２の前面部分上方から後ろ方向に傾斜している。
【００２４】
表示装置３の表面のほぼ全体にわたって表示画面４が形成されている。表示画面４上には，タッチパネルが形成されている。
【００２５】
本体２の前面には，画像データが記録されているフロッピィ・ディスクを店頭端末装置１に装填するためのＦＤ（フロッピィ・ディスク）スロット５，ＣＤ（コンパクト・ディスク）を装填するためのＣＤスロット６およびメモリ・カードを装填するためのメモリ・カード・スロット７が形成されている。
【００２６】
お客（および後述するように店員）は，店頭端末装置１の前面に立ち，店頭端末装置１の表示画面４に形成されているタッチパネル上をタッチすることにより操作する。
【００２７】
図３は，店頭端末装置１の電気的構成を示すブロック図である。
【００２８】
店頭端末装置１の全体の動作は，ＣＰＵ１０に入力する。
【００２９】
店頭端末装置１には，動作プログラムなどの所定のデータが記憶されているＲＯＭ１１，データを一時的に記憶するＲＡＭ１２，プリンタ・コントローラ３１と通信するための通信インターフェイス１３および表示装置１５が含まれている。表示装置１５の表示画面上には指令を与えるためのタッチパネル１５Ａが形成されている。もちろん，タッチパネル１５Ａでなくマウス等により指令を与えてもよい。
【００３０】
さらに，店頭端末装置１には，後述するように表示画面４上に画像を表示するためのデータ等が格納されているハードディスク１７，このハードディスク１７にデータを書き込むおよび書き込まれているデータを読み取るハードディスク・ドライブ１６が含まれている。また，店頭端末装置１には，上述したようにＦＤスロット５に装填されたフロッピィ・ディスクにデータを書き込むおよび書き込まれているデータを読み取るためのフロッピィ・ディスク・ドライブ１８，メモリ・カード・スロット７に装填されたメモリ・カードに書き込まれているデータを読み取るメモリ・カード・リーダ１９およびＣＤスロット６に装填されたＣＤに書き込まれているデータを読み取るＣＤドライブ２０が含まれている。
【００３１】
図４および図５は，店頭端末装置１の店員モードでの動作を示すフローチャートである。図６から図１１は，店頭端末装置１の表示画面４に表示される画像の一例である。
【００３２】
この実施例による店頭端末装置１は，プリント条件をお客が設定し，お客が設定したプリント条件で画像をプリントさせるユーザ設定モードと，あらかじめ設定されているプリント条件で画像をプリントさせる規定設定モードとをにもとづく動作を行なうことができる。
【００３３】
また，この実施例による店頭端末装置１は，店員のみに操作が許可される店員モードを設定することができる。この店員モードにおいて，ユーザ設定モードにおいて設定可能なプリント条件および規定設定モードにおけるプリント条件が設定される。
【００３４】
店頭端末装置１の表示画面４には，初期画像として図６に示すサービス選択画像が表示される（ステップ４１）。
【００３５】
サービス選択画像には，そのほぼ中央にプリント・サービス領域６１が含まれている。また，サービス選択画像には，領域が形成されていることがお客には認識されない，右上の部分にタッチ可能な店員モード領域６２がある。店員モード領域６２があることはお客にはわからない。プリント・サービス領域６１がお客によってタッチされる（後述するプリント・サービス処理の操作は店員によって行なわれてもよい。その場合にはプリント・サービス領域６１および後述の各領域は店員によってタッチされることとなろう。）と（ステップ４２でＹＥＳ），プリント・サービス処理に移行する。店員モード領域６２が店員によってタッチされると（ステップ４２でＮＯ，ステップ４３でＹＥＳ），次に示す店員モードに移行する。
【００３６】
店員モードに移行すると，表示画面４には図７に示す店員パスワード入力画像が表示される。
【００３７】
店員パスワード入力画像には，そのほぼ中央部分に横方向にわたって１から０までの数字が表示されている数字領域６４が含まれている。また，店員パスワード入力画像の下部には，ＯＫ領域６５およびキャンセル領域６６が含まれている。店員によって数字領域６４上がタッチされてパスワードが入力される（ステップ４４）。入力されたパスワードが正しければ（ステップ４５でＹＥＳ），操作している者が正当な店員であるとして表示画面４には図８に示す店員メニュー画像が表示される（ステップ４６）。
【００３８】
店員メニュー画像には，注文管理領域７１，環境設定領域７２，サービス移行領域７３およびシャットダウン領域７４が含まれている。環境設定領域７２上がタッチされることにより，ユーザ設定モードにおいて設定可能なプリント条件および規定設定モードにおけるプリント条件の設定処理に移行する。サービス移行領域７３上がタッチされることにより，図６に示すサービス選択画像が表示画面４に再び表示されるようになる。注文管理およびシャットダウンについてはこの実施例による発明とあまり関係ないのでこれ以上の説明を省略する。
【００３９】
環境設定領域７２がタッチされると（ステップ４７），表示画面４には図９に示す環境設定画像が表示される（ステップ４８）。
【００４０】
環境設定画像には，各種設定を行うときにタッチされる領域を含む設定領域８０，設定以外のその他の動作を行わせるときにタッチされる領域１００および戻る領域１０５が含まれている。設定領域８０には，店舗情報領域８１，料金領域８２，プリント・サービス領域８３，利用可能メディア領域８４，仕上がりプリント時間領域８５，サービス領域８６，バックアップ期間領域８７，ネットワーク領域８８，プリンタ設定領域８９，端末情報領域９０，通信設定領域９１，パスワード領域９２，設定保存領域９３および注文コマ数上限領域９４が含まれている。その他の領域１００には，自己診断領域１０１，ログ管理領域１０２，テスト領域１０３およびアップデート領域１０４が含まれている。戻り領域１０５がタッチされると，表示画面４には店員メニュー画像が表示される。
【００４１】
ユーザ設定モードにおいて設定可能なプリント条件および規定設定モードにおけるプリント条件の設定処理を行うときには，店員によってプリント・サービス領域８３がタッチされる。プリント・サービス処理がタッチされると（ステップ４９），表示画面には図１０に示すプリント・サービス画像が表示される（ステップ５０）。
【００４２】
プリント・サービス画像は，店頭端末装置１に設定されているプリント条件の内容を表示するものである。ユーザ設定表示領域１１０と規定値表示領域１２０とが含まれている。
【００４３】
後述するように（図１５参照），ユーザ設定モードにおいてはプリント・サイズを選択するための第１ボタンから第４ボタンと呼ばれる領域が表示画面４に表示される。お客は第１ボタンから第４ボタンのうちのいずれかをタッチすることによりプリント・サイズを選択する。ユーザ設定表示領域１１０には，第１ボタンから第４ボタンに対応して，お客が設定できるプリント・サイズを表示する領域１１１から１１４が含まれている。
【００４４】
規定値表示領域１２０には，規定設定モードにおいて設定されているプリント条件の内容が表示される。領域１２１は，プリント・サイズを表示するものであり，領域１２２は，プリント枚数を表示するものである。
【００４５】
店員によって，プリント条件が確認される。設定されているプリント条件でよければＯＫ領域１３２がタッチされる。ＯＫ領域１３２がタッチされると，表示画面４には環境設定画像が表示されるようになる。
【００４６】
プリント条件が変更される場合には，変更領域１３１がタッチされる（ステップ５１で変更）。すると，表示画面４には，図１１に示すプリント・サービス設定変更画像が表示される（ステップ５２）。
【００４７】
プリント・サービス設定変更画像には，ユーザ設定モードにおけるプリント条件を変更するためのユーザ設定変更領域１４０と規定モードにおけるプリント条件を変更するための規定値変更領域１５０とが含まれている。
【００４８】
ユーザ設定変更領域１４０には，上述したようにユーザ設定モードにおいてプリント・サイズを選択する第１ボタンから第４ボタンに対応して店員が設定できるプルダウン領域１４１から１４４が含まれている。プルダウン領域１４１から１４４にはそれぞれ下矢印が含まれている。これらの下矢印をタッチすることによりプルダウン・メニューが現れる。店員は，現れたプルダウン・メニューの中から所望のプリント・サイズを各ボタンに対応して選択することとなる（ステップ５３）。選択されたプリント・サイズがプルダウン領域１４１から１４４の枠内に表示される。
【００４９】
規定値変更領域１５０には，規定として設定するプリント・サイズを変更するプルダウン領域１５１とプリント枚数を変更するプルダウン領域１５２とが含まれている。プルダウン領域１５１および１５２にはいずれも下矢印が含まれている。これらの下矢印がタッチされることにより，プルダウン・メニューが現れる。プルダウン・メニューの中から所望のプリント・サイズおよびプリント枚数が選択される（ステップ５３）。選択されたプリント・サイズが領域１５１の枠の中に，選択されたプリント枚数が領域１５２の枠の中にそれぞれ表示される。変更されたプリント条件は記憶される（ステップ５４）。
【００５０】
変更されたプリント条件でよければＯＫ領域１６１がタッチされる（ステップ５５でＯＫ）。ＯＫ領域１６１がタッチされると表示画面４には環境設定画像が表示される（ステップ４８）。キャンセル領域１６２がタッチされると表示画面４にはプリント・サービス画像（図示略）が表示される。
【００５１】
図１２および図１３は，プリント・サービスの処理手順を示すフローチャートである。図１４から図１７は，表示画面４に表示される画像の一例である。
【００５２】
上述のように，サービス選択画像（図６参照）が表示されているときにプリント・サービス領域６１がタッチされることにより，プリント・サービス処理が開始される。
【００５３】
プリント・サービス処理が開始されると表示画面４にはメディアの装填を要求するメディア装填画像（図示略）が表示される。お客は自分が持ってきたメディアを店頭端末装置１の対応するスロットに装填することとなる。メディア装填画像中には読み取り開始指令を与える領域も含まれている。店頭端末装置１にメディアが装填されると，読み取り開始領域がお客によってタッチされる（ステップ１７１）。すると，装填されたメディアに格納されているすべてのサムネイル画像データが読み取られる（ステップ１７２）。メディアからサムネイル画像データを読み取ることができないと（ステップ１７３でＹＥＳ），装填されたメディアが壊れているなどの障害があるのでエラーが報知される（ステップ１７４）。
【００５４】
装填されたメディアからサムネイル画像データを読み取ることができると（ステップ１７３でＮＯ），表示画面４には，図１４に示すプリント条件モード選択画像が表示される（ステップ１７５）。
【００５５】
プリント条件モード選択画像には，ユーザ設定モードを選択するときにお客によってタッチされるユーザ設定領域１９２および規定設定モードを選択するときにお客によってタッチされる規定値領域１９３とが含まれている。規定値領域１９３には，上述のように店員モードにおいて設定されたプリント条件（プリント・サイズＬサイズ，プリント枚数各１枚）が表示されている。また，プリント条件モード選択画像の上方には，メディアに記録される画像データによって表される画像のうちプリント可能な画像（画像データが破綻されていない画像データによって表される画像）の駒数を表示する領域１９１も含まれている。さらに，プリント条件モード選択画像には，その左下にプリント・サービス処理を終了する時にお客によってタッチされる領域１９４および１つ前に表示されていた画像に戻るときにタッチされる領域１９５も含まれている。
【００５６】
領域１９２がタッチされ，ユーザ設定モードに移行すると表示画面４には図１５に示すサイズ表示画像が表示される（ステップ１７７）。
【００５７】
サイズ表示画像には，お客によって選択可能なプリント・サイズを示す領域１９６から１９９が含まれている。これらの領域１９６から１９９は図１１に示すプリント・サービス設定変更画像の中のユーザ設定選択領域１４０内のプルダウン領域１４１から１４４により選択されたプリント・サイズに対応して表示されている。領域１９６から１９９内には，プリント１枚当たりの単価も表示されている。
【００５８】
領域１９６から１９９のうち所望のプリント・サイズを指定する領域がお客によってタッチされる（ステップ１７８でＹＥＳ）。すると，表示画面４には図１６に示すサムネイル一覧画像が表示される（ステップ１７９）。
【００５９】
サムネイル一覧画像には，そのほぼ半分の右側に店頭端末装置１に装填されたメディアから読み出されたサムネイル画像データによって表されるサムネイル画像が一覧で表示されるサムネイル画像表示領域２０１が含まれている。このサムネイル画像表示領域２０１は，その領域２０１上をタッチすることによりタッチされたサムネイル画像が選択されたことを示す信号が店頭端末装置１に入力される。
【００６０】
サムネイル一覧画像のほぼ左半分には選択された画像を表示する領域２００が含まれている。サムネイル画像表示領域２０１に表示されている多数のサムネイル画像のうち選択されたサムネイル画像の拡大画像が領域２００に表示される。選択されたサムネイル画像に対応する画像がプリントすべき画像として選択されたものとされる。サムネイル画像が選択されると，表示画面４にはプリント枚数設定画像（図示略）が表示される。プリント枚数設定画像において，選択されたサムネイル画像に対応する画像のプリント枚数が設定される。このようにして設定されたプリントすべき画像，プリント枚数およびプリント・サイズがプリント条件を表すデータとしてプリント・ファイルに格納される（ステップ１８０）。
【００６１】
サムネイル一覧画像の下の領域２０３　には，ユーザによって選択された画像の駒数を表示する領域２０２　，選択された画像すべてを解除するときにタッチされる領域２０３　，サムネイル画像表示領域２０１　に表示されているサムネイル画像に対応する画像すべてを１枚ずつプリントするときにタッチされる領域２０４　が形成されている。
【００６２】
プリントすべき画像が選択されると，その画像を表す画像データがメディアから読み取られる（ステップ１８１）。読み取られた画像データが破綻していると（ステップ１８２でＹＥＳ），エラー表示される（ステップ１８３）。また，破綻していた画像データのプリント指令がプリント・ファイルから削除される。メディアから読み取った画像データが破綻していなければ（ステップ１８２でＮＯ），注文内容確認画像が表示画面４に表示される（ステップ１８４）。これによりお客は自分が注文した内容を確認することができる。
【００６３】
プリントすべき画像として選択した画像を表す画像データをＣＤに書き込むこともできる。ＣＤに書き込む場合には（ステップ１８５でＹＥＳ），プリント・ファイルにＣＤ書き込み指令が追加される（ステップ１８６）。このようにして得られたプリント・ファイルが店頭端末装置１からプリンタ・コントローラ３１に送信される（ステップ１８７）。プリンタ・コントローラ３１によってプリント・ファイルにもとづいてプリントするようにディジタル・プリンタ３２が制御される。
【００６４】
図１２ステップ１７６に戻って，プリント条件モード選択画像（図１４参照）が表示されているときに規定値領域１９３がお客によってタッチされると，表示画面４には図１７に示すようにサムネイル一覧画像が表示される（ステップ１８８）。
【００６５】
サムネイル一覧画像のほぼ右半分には，店頭端末装置１に装填されたメディアから読み取られたサムネイル画像データによって表されるサムネイル画像を一覧で表示するサムネイル画像表示領域２１１が含まれている。図１７に示すサムネイル画像表示領域２１１は，図１６に示すサムネイル一覧画像に表示されるサムネイル画像表示領域２０１と異なりサムネイル画像上をタッチしてもそのタッチされたサムネイル画像が選択された信号は店頭端末装置１に与えられない。図１７に示すサムネイル一覧画像に表示されているサムネイル画像表示領域２１１を用いてサムネイル画像を選択（すなわち，プリントすべき画像を選択）することはできない。
【００６６】
サムネイル画像表示領域２１１の下には，駒数表示領域２１３が形成されている。駒数表示領域２１３に，読み取られたサムネイル画像データによって表されるサムネイル画像の駒数が表示される。プリントされる画像の総駒数を確認できる。
【００６７】
サムネイル一覧画像のほぼ左側には規定値モードによってプリントされるプリント条件を示すプリント条件表示領域２１０が含まれている。プリント条件表示領域２１０に規定値としてのプリント枚数（各１枚）およびプリント・サイズ（Ｌサイズ）が表示されるので，どのようなプリント条件でプリントできるかを確認することができる。
【００６８】
プリント条件表示領域２１０の下にはモード変更領域２１２が設けられている。このモード変更領域２１２は，規定値モードからユーザ設定モードに変更するときにお客によってタッチされる。モード変更領域２１２がタッチされることにより，表示画面４には，図１５に示すサイズ一覧画像が表示される。これにより，プリント・サイズ，プリント枚数およびプリントすべき画像をお客が設定できるようになる。もっとも，モード変更領域２１２がタッチされることにより，サイズ一覧画像が表示されるのではなく，図１６に示すサムネイル一覧画像が表示されるようにしてもよい。さらに，規定値モードからユーザ設定モードに変更するだけでなく，ユーザ設定モードから規定値モードに変更できるように，たとえば，サイズ一覧画像に変更モード領域を形成するようにしてもよい。
【００６９】
図１７を参照して，サムネイル一覧画像にもその左下に終了領域１９４および前画像領域１９５が形成されている。
【００７０】
さらに，サムネイル一覧画像の右下にはプリント総枚数，１枚当たりのプリント単価および基本料金を表示する領域２１４および設定終了領域２１５が形成されている。設定終了領域２１５　がタッチされることにより，メディアに格納されている読み取り可能なすべての画像データが読み取られる（ステップ１８１　）。その後は，上述したようにしてプリント・ファイルが生成される。生成されたプリント・ファイルが店頭端末装置１からプリンタ・コントローラ３１に与えられることにより，プリント・ファイルに格納されているプリント条件にしたがってディジタル・プリンタ３２によって画像がプリントされる。
【００７１】
規定値モードを選択することにより，プリント枚数，プリント・サイズ，プリントすべき画像の選択などの煩雑な操作を，お客が回避できるようになる。また，ユーザ設定モード選択することにより所望のプリント条件で画像をプリントすることもできる。
【図面の簡単な説明】
【図１】図１は，プリント制御システムの概要を示している。
【図２】店頭端末装置の外観を示している。
【図３】店頭端末装置の電気的構成を示すブロック図である。
【図４】店員モードの処理手順を示すフローチャートである。
【図５】店員モードの処理手順を示すフローチャートである。
【図６】店頭端末装置の表示画面に表示される画像の一例である。
【図７】店頭端末装置の表示画面に表示される画像の一例である。
【図８】店頭端末装置の表示画面に表示される画像の一例である。
【図９】店頭端末装置の表示画面に表示される画像の一例である。
【図１０】店頭端末装置の表示画面に表示される画像の一例である。
【図１１】店頭端末装置の表示画面に表示される画像の一例である。
【図１２】プリント・サービスの処理手順を示すフローチャートである。
【図１３】プリント・サービスの処理手順を示すフローチャートである。
【図１４】店頭端末装置の表示画面に表示される画像の一例である。
【図１５】店頭端末装置の表示画面に表示される画像の一例である。
【図１６】店頭端末装置の表示画面に表示される画像の一例である。
【図１７】店頭端末装置の表示画面に表示される画像の一例である。
【符号の説明】
１　店頭端末装置
４　表示画面
１０　ＣＰＵ
１３　通信インターフェイス
１５　表示装置
１８　フロッピィ・ディスク・ドライブ
１９　メモリ・カード・リーダ
２０　ＣＤドライブ
１９２　　ユーザ設定領域
１９３　　規定値領域
【図１】
2004013701.tif 000003
【図２】
2004013701.tif 000004
【図３】
2004013701.tif 000005
【図４】
2004013701.tif 000006
【図５】
2004013701.tif 000007
【図６】
2004013701.tif 000008
【図７】
2004013701.tif 000009
【図８】
2004013701.tif 000010
【図９】
2004013701.tif 000011
【図１０】
2004013701.tif 000012
【図１１】
2004013701.tif 000013
【図１２】
2004013701.tif 000014
【図１３】
2004013701.tif 000015
【図１４】
2004013701.tif 000016
【図１５】
2004013701.tif 000017
【図１６】
2004013701.tif 000018
【図１７】
2004013701.tif 000019